(57)【要約】【課題】好適にフィルタが取り付け可能な空気調和機を提供する。【解決手段】熱交換器８と、送風ファン９と、熱交換器８および送風ファン９の上流に配置されるフィルタと、を備え、フィルタは、少なくとも筐体１２前部に垂直方向に配置された前面フィルタ５を有し、前面フィルタ５は、筐体１２の左右方向にスライドして脱着可能に構成される。また、筐体１２の前面側に、正面視した際、前面フィルタ５の側面側の一部を覆うように配置された電装箱４を更に備える。【選択図】図６
2014211248.tif 000002
【特許請求の範囲】
【請求項１】
熱交換器と、
送風ファンと、
前記熱交換器および前記送風ファンの上流に配置されるフィルタと、を備え、
前記フィルタは、少なくとも筐体前部に垂直方向に配置された前面フィルタを有し、
該前面フィルタは、前記筐体の左右方向にスライドして脱着可能に構成される
ことを特徴とする空気調和機。
【請求項２】
前記筐体の前面側に、正面視した際、前記前面フィルタの側面側の一部を覆うように配置された電装箱を更に備える
ことを特徴とする請求項１に記載の空気調和機。
【請求項３】
前記筐体は、前記前面フィルタを左右方向にスライド可能なレールを更に備え、
該レールの挿入口は、正面視した際、前記電装箱により覆われる領域よりも前記筐体の中央側に形成される
ことを特徴とする請求項２に記載の空気調和機。
【請求項４】
前記レールの前記挿入口には、傾斜部が形成される
ことを特徴とする請求項３に記載の空気調和機。
【請求項５】
前記前面フィルタは、前記筐体の左右方向に、右フィルタと、左フィルタとに分割され、
前記右フィルタおよび前記左フィルタは、前記筐体の中央方向にスライドさせることにより取り外し可能に構成される
ことを特徴とする請求項１乃至請求項４のいずれか１項に記載の空気調和機。
【発明の詳細な説明】
【技術分野】
【０００１】
本発明は、室内機と室外機を冷媒配管で接続するセパレート形の空気調和機に関する。
【背景技術】
【０００２】
空気調和機は、室内空気を室内機の熱交換器に循環させて、過熱、冷却、除湿機能などにより調和空気にし、これを室内に吹き出すことにより室内環境を快適なものとする。また、空気調和機の室内機は循環空気中の塵埃を除去するフィルタを備えており、熱交換器に塵埃が付着し熱交換性能が低下することを防止するとともに、室内に吹き出される調和空気の塵埃を低減して、室内を清浄な空間にし、居住者が快適に過ごせるようにしている。
【０００３】
このように、空気調和機の室内機には室内空気が循環しているので、フィルタには室内空気中の塵埃が蓄積される。そのため、フィルタを自動清掃するフィルタ清掃装置が搭載された空気調和機が知られている。
【０００４】
例えば、特許文献１（特開２００８−５７８４６号公報）には、送風ファンと熱交換器の上流にフィルタを備え、このフィルタを通過した空気を熱交換して送風する空気調和機において、前記フィルタの上流側の面と接触して摺動する刷毛と、この刷毛と前記フィルタとの相対的な位置を移動させる移動手段と、前記刷毛と摺動して前記刷毛に付着した塵埃を前記刷毛から除去するとともにこの塵埃を付着させる除去ブラシと、前記除去ブラシと摺動して前記除去ブラシに付着した塵埃を保持する塵埃戻り防止ブラシとを備えた空気調和機が開示されている。
【先行技術文献】
【特許文献】
【０００５】
【特許文献１】特開２００８−５７８４６号公報
【発明の概要】
【発明が解決しようとする課題】
【０００６】
このように、空気調和機には自動清掃機能が搭載され、フィルタに溜まった塵埃を除去することができる。しかしながら、塵埃の量の増加や油分等の付着により、フィルタの洗浄が必要になる場合がある。この場合、室内機からフィルタを取り外して洗浄し、洗浄後のフィルタを室内機に取り付ける必要がある。この際、フィルタの取り付けが不適切であると、フィルタ清掃装置が正常に機能できなくなるおそれがある。また、所定の空気循環経路を乱すこととなり、空気調和機の信頼性や性能の低下を招く原因となるおそれがある。
【０００７】
そこで、本発明は、好適にフィルタが取り付け可能な空気調和機を提供することを課題とする。
【課題を解決するための手段】
【０００８】
このような課題を解決するために、本発明は、熱交換器と、送風ファンと、前記熱交換器および前記送風ファンの上流に配置されるフィルタと、を備え、前記フィルタは、少なくとも筐体前部に垂直方向に配置された前面フィルタを有し、該前面フィルタは、前記筐体の左右方向にスライドして脱着可能に構成されることを特徴とする空気調和機である。
【発明の効果】
【０００９】
本発明によれば、好適にフィルタが取り付け可能な空気調和機を提供することができる。
【図面の簡単な説明】
【００１０】
【図１】本実施形態に係る空気調和機の全体構成を示す全体図である。
【図２】本実施形態に係る空気調和機の室内機の内部構造を示す縦断面図である。
【図３】本実施形態に係る空気調和機の室内機の内部構造を示す展開斜視図である。
【図４】本実施形態に係る空気調和機の室内機が備えるフィルタ清掃装置の構成を示す斜視図である。
【図５】上面フィルタが取り付けられる前面ケーシングの上面図である。
【図６】（ａ）は前面フィルタが取り付けられる前面ケーシングの正面図であり、（ｂ）は前面フィルタの脱着方法を示す斜視図である。
【図７】（ａ）は前面フィルタの正面図であり、（ｂ）は前面フィルタの側面側端部を下側から見た部分拡大図である。
【図８】（ａ）は前面フィルタが取り付けられる前面ケーシングの正面図であり、（ｂ）は前面フィルタを取り付ける際の図８（ａ）のＡ−Ａ線断面図であり、（ｃ）から（ｅ）は前面フィルタを取り付ける際の流れを説明する図である。
【図９】（ａ）は変形例に係る前面フィルタの正面図であり、（ｂ）は変形例に係る前面フィルタの側面側端部を下側から見た部分拡大図である。
【図１０】（ａ）から（ｂ）は変形例に係る前面フィルタを取り付ける際の流れを説明する図である。
【発明を実施するための形態】
【００１１】
以下、本発明を実施するための形態（以下「実施形態」という）について、適宜図面を参照しながら詳細に説明する。なお、各図において、共通する部分には同一の符号を付し重複した説明を省略する。
【００１２】
≪空気調和機≫
本実施形態に係る空気調和機Ａについて、図１から図３を用いて説明する。図１は、本実施形態に係る空気調和機Ａの全体構成を示す全体図である。図２は、本実施形態に係る空気調和機Ａの室内機１の内部構造を示す縦断面図である。図３は、本実施形態に係る空気調和機Ａの室内機１の内部構造を示す展開斜視図である。
【００１３】
図１において、空気調和機Ａは、室内（空調空間）の壁面に設置される室内機１と、室外（空調空間外）に設置される室外機２と、リモコン（remote controller）３と、を備え、室内機１と室外機２とが冷媒配管（図示せず）によって接続されて構成されている。
【００１４】
リモコン３は、ユーザ（図示せず）によって操作され、室内機１の信号受信部（図示せず）に対し赤外線信号を送信することができるようになっている。なお、当該信号は、運転要求、設定温度の変更、タイマ、運転モードの変更、停止要求等の指令である。空気調和機Ａは、これらの信号に基づいて、冷房モード、暖房モード、除湿モードなどの空調運転を行う。
【００１５】
空気調和機Ａの運転時には、室内機１と室外機２との間で冷媒配管（図示せず）を介して冷媒を循環させる。当該冷媒は、図２に示す室内機１の熱交換器８内の伝熱管８ａを流れており、室内機１において送風ファン９によって取り入れた空気を加熱または冷却するようになっている。
【００１６】
図２に示す送風ファン９が回転すると、室内空気が室内機１に設けられた空気吸い込み口１３から吸い込みされて、吸い込まれた空気が熱交換器８内の伝熱管８ａを流れる冷媒と熱交換することにより加熱または冷却され、加熱または冷却された空気が空気吹き出し口１４から室内に吹き出されることにより、空気調和機Ａは室内を空調することができるようになっている。なお、空気調和機Ａの運転時における動作の詳細については、その説明を省略する。
【００１７】
図３に示すように、空気調和機Ａの室内機１は、電装箱４と、前面フィルタ５と、上面フィルタ６と、フィルタ清掃装置７と、熱交換器８と、送風ファン９と、背面ケーシング１０と、据付板１１と、前面ケーシング１２と、を有している。なお、室内機１には、ドレンパン（図示せず）、露受皿（図示せず）、カメラ（図示せず）などが収納されているが、これらについては、その説明を省略する。
【００１８】
熱交換器８は、複数本の伝熱管８ａ（図２参照）が貫通するフィン８ｂ（図２参照）が所定の間隔をあけて多数枚積層され、室内機１を側面視して逆Ｖ字型に成形されている。なお、伝熱管８ａ（図２参照）は、冷媒配管（図示せず）を介して室外機２（図２参照）と接続されている。
【００１９】
送風ファン９は、円筒形に成形されたクロスフローファン型のファンで、両端部及びファンの中心軸方向に複数箇所も受けられる円筒形の仕切り板（図示せず）と、一方の仕切り板から他方の仕切り板に向けて延び且つ円周上に配置される多数の羽（図示せず）と、により構成されている。送風ファン９は、中心軸周りに回転して送風動作を行うように構成されている。
【００２０】
室内機１のケーシング（筐体）は、前面ケーシング１２と背面ケーシング１０とにより構成され、前面ケーシング１２の前面および上面に空気吸い込み口１３（図２参照）が形成され、前面ケーシング１２の下面に空気吹き出し口１４（図２参照）が形成されている。なお、室内機１のケーシングは、背面ケーシング１０に上記の各機器（熱交換器８、送風ファン９）を設置した後、室内機１の正面から前面ケーシング１２を背面ケーシング１０に嵌めることで形成される。また、据付板１１は、背面ケーシング１０を壁面に固定することにより、室内機１を壁面に固定している。
【００２１】
前面ケーシング１２の空気吸い込み口１３（図２参照）には、埃などの浮遊物が室内機１の内部に侵入するのを防ぐための前面フィルタ５および上面フィルタ６が設置されている。また、前面ケーシング１２には、前面フィルタ５および上面フィルタ６を清掃するためのフィルタ清掃装置７が設けられている。
【００２２】
電装箱４は、ＡＣ−ＤＣコンバータ（図示せず）や、制御基盤（図示せず）などの電装機器が収納されており、後述する図９（ａ）に示すように、前面ケーシング１２の前面側に配置され、正面視すると電装箱４が前面フィルタ５の一部と重なるように配置されている。ちなみに、電装箱４は、前面ケーシング１２と、前面パネル１５（図２参照）の間に配置されている。このように、電装箱４を前面に配置することにより、電装箱４を側面側に配置する室内機と比較して、熱交換器８の幅を拡大できるため、性能の向上を図ることができる。また、電装箱４を空冷することができる。
【００２３】
＜フィルタ清掃装置７＞
次に、フィルタ清掃装置７の概略について、図４を用いて説明する。図４は、本実施形態に係る空気調和機Ａの室内機１が備えるフィルタ清掃装置７の構成を示す斜視図である。
【００２４】
図４に示すように、室内機１の熱交換器８の上流側には、空気吸い込み口１３（前面側空気吸込み部１３ａおよび上面側空気吸込み部１３ｂ）が形成されている。より具体的には、熱交換器８の上流には、前面側空気吸込み部１３ａが略垂直に、そして、上面側空気吸込み部１３ｂが略水平に形成されている。これらの空気吸い込み口１３（前面側空気吸込み部１３ａおよび上面側空気吸込み部１３ｂ）には、それぞれ、平面状の前面フィルタ５および上面フィルタ６が取り付けられ、互いに直交する二面を構成している。
【００２５】
フィルタ清掃装置７は、掃除用刷毛７１ａ，７１ｂと、刷毛支持枠７２と、移動用モータ７３と、集塵容器７４と、を備えている。掃除用刷毛７１ａ，７１ｂは、断面Ｌ字型の刷毛支持枠７２によって支持されている。移動用モータ７３は、推進軸７３ａに沿って刷毛支持枠７２を左右方向に移動させることができるようになっている。これにより、掃除用刷毛７１ａ，７１ｂは、前面フィルタ５および上面フィルタ６の表面に付着した塵埃を掃き取ることができるようになっている。その後、掃除用刷毛７１ａ，７１ｂは、図４の左端に配置された集塵容器７４まで移動する。集塵容器７４には、掃除用刷毛７１ａ，７１ｂに付着した塵埃を除去して集塵容器７４の内部に収容する除去ブラシ７４ａ，７４ｂが設けられている。
【００２６】
このように、フィルタ清掃装置７は、前面フィルタ５および上面フィルタ６の表面に付着した塵埃を掃除用刷毛７１ａ，７１ｂ（刷毛支持枠７２）を用いて掃き取るとともに、掃き取った塵埃を除去ブラシ７４ａ，７４ｂを用いて集塵容器７４の内部に収容することができるようになっている。なお、集塵容器７４の内部に収容された塵埃は、排出口７４ｃから回収することができるようになっている。
【００２７】
＜フィルタ＞
このように、本実施形態に係る空気調和機Ａの室内機１は、フィルタ清掃装置７を備え、前面フィルタ５および上面フィルタ６の表面に付着した塵埃を除去することができるようになっている。しかしながら、フィルタ清掃装置７では除去しきれない塵埃や油分等が前面フィルタ５および上面フィルタ６の表面に付着した場合、ユーザが前面フィルタ５および上面フィルタ６を取り外して、前面フィルタ５および上面フィルタ６の洗浄を行う必要がある。以下、前面フィルタ５および上面フィルタ６の脱着方法ついて説明する。
【００２８】
＜上面フィルタ６の脱着方法＞
まず、上面フィルタ６の脱着方法について、図５を用いて説明する。図５は、上面フィルタ６が取り付けられる前面ケーシング１２の上面図である。
【００２９】
前面ケーシング１２の上面側空気吸込み部１３ｂ（図４参照）は、２枚の上面フィルタ６Ａ，６Ｂ（６）で覆われている。なお、上面フィルタ６Ａと上面フィルタ６Ｂとは、同様の構造であるため、上面フィルタ６Ａの脱着方法について説明し、上面フィルタ６Ｂの脱着方法については説明を省略する。
【００３０】
上面フィルタ６Ａは、格子状のフィルタ枠体６０と、フィルタ枠体６０前部のロック６１と、フィルタ枠体６０前部の取手６２と、フィルタ枠体６０に全面に設けられて支持されるフィルタ（図示せず）と、を有している。
【００３１】
上面フィルタ６Ａは、水平前後方向(図５矢印方向)にスライドする機構となっている。即ち、前面ケーシング１２には、上面部の左右にレール１２６Ｒ，１２６Ｌが形成されており、フィルタ枠体６０の右端部６０Ｒとレール１２６Ｒを係合させるとともに、フィルタ枠体６０の左端部６０Ｌとレール１２６Ｌを係合させることにより、上面フィルタ６Ａを水平前後方向(図５矢印方向)にスライドすることができるようになっている。
【００３２】
上面フィルタ６Ａの取り外し方法は、まず、ロック６１を右方向にスライドさせて解除し、次に、取手６２を持ちながら上面フィルタ６Ａを前方向にスライドさせて取り外す。
【００３３】
上面フィルタ６Ａの取り付け方法は、まず、フィルタ枠体６０の左右端部６０Ｒ，６０Ｌをレール１２６Ｒ，１２６Ｌと係合させ、上面フィルタ６Ａを後方向に挿入する。そして、ロック６１を右方向にスライドさせて固定する。
【００３４】
＜前面フィルタ５の脱着方法＞
次に、前面フィルタ５の脱着方法について、図６から図８を用いて説明する。図６（ａ）は前面フィルタ５が取り付けられる前面ケーシング１２の正面図であり、図６（ｂ）は前面フィルタ５の脱着方法を示す斜視図である。なお、図６（ａ）は電装箱４を取り外した状態を示す。図７（ａ）は前面フィルタ５の正面図であり、図７（ｂ）は前面フィルタ５の側面側端部５０ｓを下側から見た部分拡大図である。図８（ａ）は前面フィルタ５が取り付けられる前面ケーシング１２の正面図であり、図８（ｂ）は前面フィルタ５を取り付ける際の図８（ａ）のＡ−Ａ線断面図であり、図８（ｃ）から図８（ｅ）は前面フィルタ５を取り付ける際の流れを説明する図である。
【００３５】
前面ケーシング１２の前面側空気吸込み部１３ａ（図４参照）は、２枚の前面フィルタ５Ａ，５Ｂ（５）で覆われている。なお、前面フィルタ５Ａと前面フィルタ５Ｂとは、左右の向きが異なる点を除けば同様の構造であるため、前面フィルタ５Ａの脱着方法について説明し、前面フィルタ５Ｂの脱着方法については説明を省略する。
【００３６】
図３および図８（ａ）に示すように、本実施形態に係る空気調和機Ａの室内機１は、ケーシング（背面ケーシング１０、前面ケーシング１２）の前部右側（向かって右側）に電装箱４が配置されており、前面フィルタ５Ａの一部が電装箱４で隠れている。
【００３７】
このため、上面フィルタ６の場合と同様に、上下方向に伸びるレールを左右に設けて前面フィルタ５を上下方向にスライドする機構とすると、電装箱４で隠れている前面フィルタ５Ａの右側のレールを正面から目視することができず、前面フィルタ５Ａのレールへの挿入を確認することができないため、前面フィルタ５Ａの取り付けの信頼性に欠ける。
【００３８】
フィルタが所定の位置に装着されていない状態で空気調和機Ａの運転を開始すると、フィルタ清掃装置７が正常に機能できなくなるおそれがある。また、所定の空気循環経路を乱すこととなり、空気調和機Ａの信頼性や性能の低下を招く原因となるおそれがある。
【００３９】
これに対し、本実施形態の前面フィルタ５Ａは、前面ケーシング１２の中央から左右方向にスライドする機構となっている。
【００４０】
具体的には、図７（ａ）および図７（ｂ）に示すように、前面フィルタ５Ａは、格子状のフィルタ枠体５０と、フィルタ枠体５０の上辺の中央側端部５０ｃの側に形成されたロック受け部５１と、フィルタ枠体５０の下辺の中央側端部５０ｃの側に形成されたロック受け部５２と、ガイドリブ５３と、ガイドリブ５４と、フィルタ枠体５０に全面に設けられて支持されるフィルタ（図示せず）と、を有している。
【００４１】
ガイドリブ５３は、フィルタ枠体５０の上辺の側面側端部５０ｓの側に、上方向に突出した円柱状に形成されている。また、ガイドリブ５４は、フィルタ枠体５０の下辺の側面側端部５０ｓの側に、下方向に突出した円柱状（図７（ｂ）参照）に形成されている。
【００４２】
また、図６（ａ）に示すように、前面ケーシング１２には、前面部の中央側の上下にロック１２１，１２２が設けられており、前面部の側面側の上下にレール１２３，１２４が設けられている。なお、レール１２３とレール１２４とは同様の構造であるため、レール１２４の構造について説明し、レール１２３の説明は省略する。
【００４３】
図８（ｂ）に示すように、レール１２４は、左右方向に延びる溝部であり、左側に開口部（挿入口）１２４ａと、傾斜部１２４ｂと、右側に終端部１２４ｃと、を有している。開口部１２４ａは、正面視した際、電装箱４で隠れている領域よりも中央側に設けられており、正面から目視することができる位置に形成されている。また、開口部１２４ａから、左右方向に延びるレール１２４の間には傾斜部１２４ｂが設けられている。
【００４４】
前面フィルタ５Ａの取り付け方法は、前面フィルタ５Ａの中央側端部５０ｃ（図７参照）を持ち、前面フィルタ５Ａのガイドリブ５３，５４を、開口部（１２４ａ）から傾斜部（１２４ｂ）に沿って（図８（ｃ）参照）、前面ケーシング１２のレール１２３，１２４に挿入して（図８（ｄ）参照）、ガイドリブ５３，５４がレール１２３，１２４の終端部（１２４ｃ）に突き当たるまで右方向に摺動させる（図６（ｂ）、図８（ｂ）参照）。そして、ガイドリブ５３，５４を回転軸として、前面フィルタ５Ａの中央側端部５０ｃを前面ケーシング１２の側に揺動させ、前面フィルタ５Ａが前面ケーシング１２に納まった状態で、ロック１２１，１２２を中央側にスライドさせて、前面フィルタ５Ａのロック受け部５１，５２をロック１２１，１２２と前面ケーシング１２で挟み込むように係合させて固定する。
【００４５】
前面フィルタ５Ａの取り外し方法は、ロック１２１，１２２を中央と逆側にスライドさせて解除し、前面フィルタ５Ａの中央側端部５０ｃ（図７参照）を持ち、中央方向（左方向）に引き出して取り出す。
【００４６】
≪作用効果≫
以下、本実施形態に係る空気調和機Ａの作用効果について説明する。
【００４７】
図８（ａ）および図８（ｂ）に示すように、前面フィルタ５の脱着を左右方向のスライド機構とすることにより、レール１２３，１２４に前面フィルタ５のガイドリブ５３，５４が挿入されたことを目視で確認することができ、誤挿入を防止することができる。
【００４８】
また、前面フィルタ５を上下方向にスライドさせて脱着する構成の場合、室内機１の上側に前面フィルタ５の上下方向長さと同等の作業スペース（天井との距離）を確保して室内機１を設置する必要がある。これに対し、本実施形態に係る空気調和機Ａは、前面フィルタ５の脱着を左右方向のスライド機構とすることにより、上方向に大きなスペースを開けることなく、室内機１を設置することができる。
【００４９】
また、前面フィルタ５は、右側の前面フィルタ５Ａと、左側の前面フィルタ５Ｂに分割されており、右側の前面フィルタ５Ａは中央方向（左側）に取り外し、左側の前面フィルタ５Ｂは中央方向（右側）に取り外すようになっている。これにより、室内機１の側面を壁に近づけて設置することができる。
【００５０】
また、レール１２３，１２４の開口部１２４ａに傾斜部１２４ｂが形成されていることにより、前面フィルタ５のガイドリブ５３，５４を、中央付近より摺動させながら傾斜部（１２４ｂ）に沿ってレール１２３，１２４に容易に挿入することができるとともに、誤挿入を防止することができる。
【００５１】
＜前面フィルタ５の変形例＞
次に、前面フィルタ５の変形例について、図９から図１０を用いて説明する。図９（ａ）は変形例に係る前面フィルタ５Ｃの正面図であり、図９（ｂ）は変形例に係る前面フィルタ５Ｃの側面側端部５０ｓを下側から見た部分拡大図である。図１０（ａ）から図１０（ｂ）は変形例に係る前面フィルタ５Ｃを取り付ける際の流れを説明する図である。
【００５２】
図９（ａ）に示すように、ロック受け部５１，５２と反対側にロック受け部５１ａ，５２ｂを設けてもよい。このように構成することにより、前面ケーシング１２の右側に装着された前面フィルタ５Ｃ（図８の前面フィルタ５Ａ参照）は、ロック１２１，１２２を右方向にスライドさせてロック受け部５１，５２で係合させて固定することができ、また、前面ケーシング１２の左側に装着された前面フィルタ５Ｃ（図８の前面フィルタ５Ｂ参照）は、ロックを右方向にスライドさせてロック受け部５１ａ，５２ｂで係合させて固定することができる。即ち、前面フィルタ５および上面フィルタ６のロック方向を右方向に統一することができ、ユーザの利便性が向上する。
【００５３】
また、図９（ａ）に示すように、ガイドリブ５３，５４から延出する延出リブ５５，５６が設けられている。なお、延出リブ５５と延出リブ５６とは同様の構造であるため、延出リブ５６の構造について説明し、延出リブ５５の説明は省略する。
【００５４】
図９（ｂ）に示すように、延出リブ５６は、後方平行部５６ａと、傾斜部５６ｂと、前方平行部５６ｃと、を有している。
【００５５】
ここで、前面フィルタ５Ｃを装着する際、ガイドリブ５４からレール１２４に挿入する。ここで、図１０（ａ）に示すように、ガイドリブ５４側の延出リブ５６である後方平行部５６ａは後方側（図１０（ａ）の紙面では下側）に形成されており、前面フィルタ５Ｃを傾けて挿入してもレール１２４の前側壁面と接しないようにすることができるようになっている。また、ガイドリブ５４側の延出リブ５６である前方平行部５６ｃは前方側（図１０（ａ）の紙面では上側）に形成されており、前面ケーシング１２と接しないようにすることができるようになっている。
【００５６】
また、このような延出リブ５６を設けることにより、ガイドリブ５４をレール１２４の終端部１２４ｃまで挿入した際、図１０（ｂ）に示すように、後方平行部５６ａがレール１２４の後側壁面と接し、前方平行部５６ｃがレール１２４の前側壁面と接するので、挿入後のがたつきを抑制することができる。
【００５７】
≪変形例≫
なお、本実施形態に係る空気調和機Ａは、上記実施形態の構成に限定されるものではなく、発明の趣旨を逸脱しない範囲内で種々の変更が可能である。
【００５８】
本実施形態に係る空気調和機Ａは、電装箱４が筐体前部に配置されている場合を例に説明したが、電装箱４が筐体前部に設置されていなくてもよい。
【００５９】
また、本実施形態に係る空気調和機Ａは、フィルタ清掃装置７を備えているものとして説明したが、これに限られるものではなく、フィルタ清掃装置７を備えていなくてもよい。
【００６０】
また、誤挿入を防止するために、ガイドリブ５３，５４がレール１２３，１２４に挿入されていない状態で摺動させた場合、レール１２３，１２４の終端部（１２４ｃ）よりも中央側で係止する係止部（図示せず）を形成してもよい。これにより、係止された位置からガイドリブ５３，５４を回転軸として揺動させても、ロック１２１，１２２で前面フィルタ５のロック受け部５１，５２を固定することができないため、ユーザが誤挿入を知ることができる。
【００６１】
なお、上面フィルタ６は前後方向に脱着するのに対し、前面フィルタ５は左右方向に脱着するため、ユーザに挿入方向の指示をするのが望ましい。例えば、フィルタ枠体５０に挿入方向を示す矢印を刻印して成形してもよい。また、格子形状を矢印に成形してもよい。このように、指示銘板等の追加部材を用いることなく矢印などの指示記号を成形することにより、部品数の増加を防止して、コストを低減することができる。
【符号の説明】
【００６２】
Ａ                    空気調和機
１                    室内機
２                    室外機
３                    リモコン
４                    電装箱
５、５Ａ、５Ｂ、５Ｃ  前面フィルタ
６、６Ａ、６Ｂ        上面フィルタ
７                    フィルタ清掃装置
８                    熱交換器
９                    送風ファン
１０                  背面ケーシング（ケーシング、筐体）
１１                  据付板
１２                  前面ケーシング（ケーシング、筐体）
１３                  空気吸い込み口
１３ａ                前面側空気吸込み部
１３ｂ                上面側空気吸込み部
１４                  空気吹き出し口
１５                  前面パネル
５０                  フィルタ枠体
５０ｓ                側面側端部
５０ｃ                中央側端部
５１，５２            ロック受け部
５３，５４            ガイドリブ
５５，５６            延出リブ
１２１，１２２        ロック
１２３，１２４        レール
１２４ａ              開口部（挿入口）
１２４ｂ              傾斜部
１２４ｃ              終端部
１２６Ｒ，１２６Ｌ    レール
【図１】
2014211248.tif 000003
【図２】
2014211248.tif 000004
【図３】
2014211248.tif 000005
【図４】
2014211248.tif 000006
【図５】
2014211248.tif 000007
【図６】
2014211248.tif 000008
【図７】
2014211248.tif 000009
【図８】
2014211248.tif 000010
【図９】
2014211248.tif 000011
【図１０】
2014211248.tif 000012